(57)【要約】      （修正有）【課題】組み立ての簡易化を図り、かつ、安価な魚釣用スピニングリールを提供する。【解決手段】魚釣用スピニングリールは、駆動軸筒１０と、駆動軸筒１０を貫通するスプール軸８と、を有するリール本体２を備え、リール本体２内には、スプール軸８の後部側を摺動可能に支持する支持部が形成され、支持部は、スプール軸８の後部側が貫通し、スプール軸の後部側外周面を軸方向へ摺動可能に支持する摺動部支持孔２２を備え、駆動軸筒１０の内周面の前側には、径方向内側に突出してスプール軸８の前部側外周面を軸方向へ摺動可能に支持する突出部１４が形成されている。【選択図】図２
2016067309.tif 000002
【特許請求の範囲】
【請求項１】
駆動軸筒と、前記駆動軸筒を貫通するスプール軸と、を有するリール本体を備え、
前記リール本体内には、前記スプール軸の後部側を摺動可能に支持する支持部が形成され、
前記支持部は、前記スプール軸の後部側が貫通し、前記スプール軸の後部側外周面を軸方向へ摺動可能に支持する摺動部支持孔を備え、
前記駆動軸筒の内周面の前側には、径方向内側に突出して前記スプール軸の前部側外周面を軸方向へ摺動可能に支持する突出部が形成されている
ことを特徴とする魚釣用スピニングリール。
【請求項２】
前記支持部には、前記駆動軸筒の後端部を周方向に回転可能に支持する回転部支持部が形成されていることを特徴とする請求項１に記載の魚釣用スピニングリール。
【発明の詳細な説明】
【技術分野】
【０００１】
本発明は、魚釣用スピニングリールに関する。
【背景技術】
【０００２】
魚釣用スピニングリールのリール本体は、スプールとともに前後動するスプール軸と、スプール軸に貫通されてスプール軸回りに回転する駆動軸筒と、を備えている。
ここで、特許文献１の魚釣用スピニングリールによれば、スプール軸の外周面と駆動軸筒の内周面との接触を防止するため、スプール軸の外周と駆動軸筒の内周の前部側と後部側とのそれぞれに配置したボールベアリングで支持する構成を採用している。
【先行技術文献】
【特許文献】
【０００３】
【特許文献１】特許第３５６３６５６号公報
【発明の概要】
【発明が解決しようとする課題】
【０００４】
ドライブギヤに噛合するピニオンを有する駆動軸筒は、噛合精度を維持すべく、リール本体の前後に配置した軸受間で高精度に回転可能に支持され、駆動軸筒の前方に配置した部品内の軸受の内輪内周に摺接した状態でスプール軸をスムーズに前後動させるために、高精度に加工した部品やボールベアリングを使用して、駆動軸筒と軸受間に高精度な同心度を維持してスプール軸を支持することとなるため、製造コストが非常に高価になる。また、部品点数も多くなり、組み立て時の作業性が劣ると共に重量化に伴い、魚釣り操作性も低下する。
【０００５】
本発明は、このような課題を解決するために創作されたものであり、回転部材とこの回転部材内を摺動する摺動部材との必要な機能維持を図りながら、組み立ての簡易化と、安価な魚釣用スピニングリールを提供することを課題とする。
【課題を解決するための手段】
【０００６】
前記課題を解決するため、本発明に係る魚釣用スピニングリールは、駆動軸筒と、前記駆動軸筒を貫通するスプール軸と、を有するリール本体を備え、前記リール本体内には、前記スプール軸の後部側を摺動可能に支持する支持部が形成され、前記支持部は、前記スプール軸の後部側が貫通し、前記スプール軸の後部側外周面を軸方向へ摺動可能に支持する摺動部支持孔を備え、前記駆動軸筒の内周面の前側には、径方向内側に突出して前記スプール軸の前部側外周面を軸方向へ摺動可能に支持する突出部が形成されていることを特徴とする。
【０００７】
前記する発明によれば、スプール軸の後部側がリール本体に一体的に形成された支持部に支持される。また、スプール軸の前部側が駆動軸筒の内周面の径方向内側に形成した突出部に支持される。このため、従来必要とされた、特にスプール軸を支持するボールベアリングが不要となる。
この結果、回転する駆動軸筒内を摺動するスプール軸のスムーズな前後動と駆動軸筒のスムーズな回転とが確保され、操作性が向上する。
【０００８】
また、魚釣用スピニングリールの前記支持部には、前記駆動軸筒の後端部を周方向に回転可能に支持する回転部支持部が形成されていることが好ましい。
【０００９】
前記する支持部の回転部支持部によれば、駆動軸筒の後端部を周方向に回転可能に支持するため、駆動軸筒の機能維持を図りながら安価で組み立ての簡易化が図れる。
【発明の効果】
【００１０】
以上、前記する発明によれば、操作性の向上と組み立ての簡易化とを図れ、かつ、安価な魚釣用スピニングリールを提供すことができる。
【図面の簡単な説明】
【００１１】
【図１】本実施形態の魚釣用スピニングリールの概略図である。
【図２】魚釣用スピニングリールの一部を抽出して拡大した拡大図である。
【図３】変形例の魚釣用スピニングリールの一部を抽出して拡大した拡大図である。
【発明を実施するための形態】
【００１２】
本実施形態に係る魚釣用スピニングリールについて、適宜図面を参照しながら説明する。また、実施形態の説明において、「前後」及び「上下」を言うときは、図１に示した方向を基準とする。
【００１３】
図１に示すように、魚釣用スピニングリール１は、前方に突出するスプール軸８を有するリール本体２と、スプール軸８の中心軸Ｏ周りに回転可能なロータ３と、スプール軸８の前端に取り付けられて前後動するスプール４と、を主に備えている。以下、スプール軸８の中心軸Ｏを単に「中心軸Ｏ」と称する。
【００１４】
リール本体２には、上方へ延出して釣竿に装着される脚部２ａと、前方に向って開口しスプール軸８が貫通する筒状の筒部２ｂと、が主に形成されている。
また、リール本体２は、左右方向に延びるハンドル軸５を回転可能に支持し、このハンドル軸５の端部にハンドル６が取り付けられている。
さらに、リール本体２は、ハンドル軸５に係合して左右軸回りに回転するドライブギヤ７と、ドライブギヤ７に噛合して回転する筒状の駆動軸筒１０と、を備える。
【００１５】
図２に示すように、駆動軸筒１０は、リール本体２の筒部２ｂ内に挿入されており、駆動軸筒１０の前端及び後端が筒部２ｂよりも前後方向に突出している。
また、筒部２ｂよりも後方に突出する駆動軸筒１０の後部側外周面には、ドライブギヤ７に噛合するピニオン１１が形成され、ドライブギヤ７の回転運動が駆動軸筒１０に伝達されるようになっている。
【００１６】
一方で、駆動軸筒１０の前端外周面には、雄ねじ１２が形成されてナットＮが螺合している。そして、駆動軸筒１０の外周面であって、ピニオン１１とナットＮとの間には、後方から前方に向って、環状の緩衝材３０、第１軸受３１、逆転防止機構３２、第２軸受３３、ロータ３の固定部３ａが回り止め外嵌されている。
【００１７】
緩衝材３０は、第１軸受３１の内輪とピニオン１１との接触を防止する部材である。
第１軸受３１及び第２軸受３３は、外輪がリール本体２の筒部２ｂに回り止め内嵌されてリール本体２に固定されている。
また、第１軸受３１の内輪は、駆動軸筒１０のピニオン１１の前側の外周に外嵌され、駆動軸筒１０を回転自在に支持している。一方で、第２軸受３３の内輪は、逆転防止機構３２の後述する内輪３５に外嵌され、内輪３５を介して駆動軸筒１０を回転自在に支持している。
【００１８】
逆転防止機構３２は、ロータ３の逆転を防止するための機構である。
逆転防止機構３２は、駆動軸筒１０に回り止め外嵌され且つ第２軸受３３に回転可能に支持された内輪３５と、複数の転動部材３６ａを保持する環状の保持体３６と、保持体３６の外側に配置されて筒部２ｂに回り止め内嵌された外輪３７と、保持体３６とともに回動して切替制動する回動部材３８と、を備えている。
また、回動部材３８に設けられたスリット３８ａには、図１に示すように、操作ツマミ３９の操作に伴って回動する切換操作軸４０の端部４０ａが係合している。そして、操作ツマミ３９が逆転許容位置に設定されると、ロータ３の逆転が許容され、操作ツマミ３９が逆転防止位置に設定されると、ロータ３の逆転が阻止されるように構成されている。
【００１９】
図２に示すように、ロータ３の固定部３ａは、ナットＮによりピニオン側に締め付けられており、駆動軸筒１０から脱落しないようになっている。
また、ナットＮにより、逆転防止機構３２の内輪３５、第１軸受３１の内輪、緩衝材３０もピニオン側に締め付けられている。このため、駆動軸筒１０が第１軸受３１、逆転防止機構３２から脱落しないように、言い換えればリール本体２の筒部２ｂから脱落しないようになっている。
【００２０】
駆動軸筒１０の後端部には、ピニオン１１よりも後方に延出する円筒状の摺動部１３が形成されている。そして、この摺動部１３は、リール本体２内の底面から上方に延びる支持部２０に形成された円穴２１（回転部支持部）内に挿入されている。
支持部２０は、駆動軸筒１０の後端部とスプール軸８の後部側とを支持するための部位であり、前面に形成された円穴２１と、円穴２１の底面２１ａを貫通する円孔２２（摺動部支持孔）と、が形成されている。
【００２１】
円穴２１及び円孔２２は、スプール軸８及び駆動軸筒１０と同心状に形成されている。
また、円穴２１の内周面２１ｂは、摺動部１３の外周面１３ａに対向し、円穴２１の内周面２１ｂと摺動部１３の外周面１３ａとの間には、摺動部１３を周方向への回転可能に支持するためのわずかな隙間（不図示）が形成されている。このため、摺動部１３の外周面１３ａが円穴２１の内周面２１ｂに摺動可能な状態で、駆動軸筒１０の後端部が支持部２０に支持されている。なお、円穴２１と外周面１３ａとの間には、図示しないが摺動性の良好なカラー（樹脂製、又は樹脂製以外であってもよい）を介在して良い。
また、円穴２１の底面２１ａと摺動部１３の後端面１３ｂとは離間しており、支持部２０と駆動軸筒１０との摺動抵抗が低減するようになっている。
【００２２】
また、円孔２２の内周面２２ａは、スプール軸８の後部外周面と対向し、円孔２２の内周面２２ａとスプール軸８の外周面との間には、スプール軸８を軸方向（前後方向）へ摺動可能に支持するためのわずかな隙間（不図示）が形成されている。このため、スプール軸８の外周面が円孔２２の内周面２２ａに摺動可能な状態で、スプール軸８の後部側が支持部２０に支持されている。
【００２３】
なお、本実施形態の支持部２０は、上記したように円穴２１の内周面２１ｂが摺動部１３の外周面１３ａに当接している。
ここで、支持部２０の摺動面が駆動軸筒１０の内周面に当接するよう設計した場合、駆動軸筒１０内にスプール軸８があるため、支持部２０の厚みが制限される。
一方で、本実施形態のような構成によれば、支持部２０の厚みが制限されないため、駆動軸筒１０の後端を支持する部位を厚くし、強度の向上を図ることができる。
【００２４】
また、駆動軸筒１０の前側には、内周面から径方向内側に突出する環状の突出部１４が形成されている。この突出部１４は、スプール軸８の前部側を支持するための部位であり、突出部１４の内周面１４ａがスプール軸８の前部外周面に対向している。
また、突出部１４の内周面１４ａとスプール軸８の前部外周面との間には、スプール軸８を軸方向（前後方向）へ摺動可能に支持するためのわずかな隙間（不図示）が形成されている。このため、スプール軸８の外周面が突出部１４の内周面１４ａに摺動可能な状態で、スプール軸８の前部側が駆動軸筒１０に支持されている。
【００２５】
図１に示すように、スプール軸８の前端は、駆動軸筒１０よりも前方に突出し、スプール４が取り付けられている。一方で、スプール軸８の後端は、支持部２０の円孔２２を貫通し、オシレーティング機構９のスライダ９ｂが取り付けられている。
【００２６】
オシレーティング機構９は、駆動軸筒１０のピニオン１１と噛み合って回転するウォームシャフト（トラバースカム軸）９ａと、ウォームシャフト９ａの溝と噛み合って前後動するスライダ９ｂと、を備えている。そして、ハンドル軸５がハンドル６の回転操作によって回転されると、スプール軸８が軸方向に沿って前後動する。
【００２７】
そして、上記魚釣用スピニングリール１によれば、ハンドル６の回転操作によりハンドル軸５が回転すると、ドライブギヤ７および駆動軸筒１０を介してロータ３が回転駆動する。
ここで、第１軸受３１及び第２軸受３３に回転可能に支持されている駆動軸筒１０は、スムーズに回転する。また、ピニオン１１が形成された駆動軸筒１０の後部は、噛合するドライブギヤ７から荷重を受けるものの、摺動部１３が支持部２０に支持されているため、ガタ付き難い。このため、駆動軸筒１０及びロータ３はスムーズに回転し、釣糸の巻き取りが円滑に行われる。
【００２８】
また、オシレーティング機構９により前後動するスプール軸８は、前部側が駆動軸筒１０の突出部１４に支持され、後部側が支持部２０に支持されている。このため、釣糸を介して魚を釣り上げる際に荷重がスプール４に作用してもスプール軸８はガタ付き難く、摺動支持される。この結果、スプール軸８はスムーズに前後動し、釣糸案内部３ｂ（図１参照）を介して、スプール４に釣糸が均等に巻回されるようになる。
【００２９】
以上、実施形態によれば、スプール軸８の後部側外周がリール本体２に形成された支持部２０に直接支持されると共に、スプール軸８の前部側が駆動軸筒１０の内周の前側に形成した突出部１４に直接支持される。このため、従来必要であった、スプール軸８を支持するボールベアリングが不要となり、高精度な支持構成（ボールベアリング、加工部品など）を必要とせず簡易な構成で、スムーズなスプール軸８の前後動が得られると共に組み立ての簡易化が図れ、かつ、魚釣用スピニングリール１を安価とすることができる。
また、スプール軸８の後部側と駆動軸筒１０の後端とがリール本体２（支持部２０）に直接支持されることから同心度が高い。このため、スプール軸８の外周面と駆動軸筒１０の内周面とにおいて、突出部１４以外の部分が接触するおそれが極めて低く、スプール軸８のスムーズな前後動と、駆動軸筒１０のスムーズな回転とが確保され、操作性が向上する。
【００３０】
以上、実施形態に係る魚釣用スピニングリール１について説明したが、本発明は、実施形態で説明した例に限定されない。
実施形態の支持部２０は、円穴２１と円孔２２とを備えていたが、図３に示すように、円穴２１に代えて円筒部２３（回転部支持部）を備えた支持部２０Ａであってもよい。
この円筒部２３は、スプール軸８及び駆動軸筒１０と同心状に形成され、円筒部２３の外周面（摺動面）２３ａと摺動部１３の外周面１３ｃとの間には、摺動部１３を周方向への回転可能に支持するための隙間（不図示）が形成されている。
これによれば、摺動部１３の内周面１３ｃが円筒部２３の外周面（摺動面）２３ａに摺動可能な状態で、駆動軸筒１０の後端を支持することができる。
ただし、上記する変形例によれば、駆動軸筒１０内にスプール軸８があり、円筒部２３の厚みが制限されるが、摺動部１３の後端外周を覆わないので、摺動部１３の後端外周回りのスペースを確保することができる。
なお、実施形態の支持部２０のように駆動軸筒１０の外周側を支持する場合には、このような制限がなく、駆動軸筒１０の後端を支持する部位を厚くし、強度の向上を図ることができるのは前記した通りである。
【符号の説明】
【００３１】
１      魚釣用スピニングリール
２      リール本体
３      ロータ
４      スプール
８      スプール軸
１０    駆動軸筒
１３    摺動部
１４    突出部
２０    支持部
２１    円穴（回転部支持部）
２１ｂ  内周面（摺動面）
２２    円孔
２２ａ  内周面
２３    円筒部（回転部支持部）
２３ａ  外周面（摺動面）
【図１】
2016067309.tif 000003
【図２】
2016067309.tif 000004
【図３】
2016067309.tif 000005